(57)【特許請求の範囲】
【請求項１】
電気的駆動源の駆動力を伝達する伝達手段を介して回動軸に軸支された可動翼片が開閉し、遊技球が入球可能な開放状態と遊技球が入球不可能又は入球し難い閉鎖状態とに変化する可変入賞装置であって、
前記可動翼片の回動軸に該可動翼片と同期すると共に前記回動軸と偏心する位置に前記伝達手段と連係する操作部を備えたカム部材を設け、
前記伝達手段は前記電気的駆動源に連結する連結部材と、前記カム部材と連係する作動部材とを備えると共に前記電気的駆動源の非駆動時において前記作動部材の可動を阻止して可動翼片の動作を阻止するロック手段を設け、
前記作動部材は一端を支軸により傾動自在に設けると共に他端に前記カム部材の操作部が係合する係合部を設け、前記連結部材と作動部材との連係部を該連結部材が作動部材に対し所定ストローク単独で可動し得る間隙を存して係合するように設け、
前記ロック手段は前記作動部材に前記支軸と偏心した位置に一体的に設けられるロック部と、前記連結部材に電気的駆動源の非駆動時において前記ロック部の回転軌道上に位置して一体的に設けられる前記ロック部が衝止するストッパーとにより構成され、
前記電気的駆動源の駆動時に前記ロック手段のロック解除として前記連結部材の所定ストロークの単独運動によりストッパーがロック部の回転軌道上から離脱してストッパーによるロックを解除し、前記伝達手段の作動部材を回動させるのに同期して前記カム部材を回動させて前記可動翼片が開放するようにしたことを特徴とする可変入賞装置。
【請求項２】
電気的駆動源の駆動力を伝達する伝達手段を介して回動軸に軸支された可動翼片が開閉し、遊技球が入球可能な開放状態と遊技球が入球不可能又は入球し難い閉鎖状態とに変化する可変入賞装置であって、
前記可動翼片の回動軸に該可動翼片と同期すると共に前記回動軸と偏心する位置に前記伝達手段と連係する操作部を備えたカム部材を設け、
前記伝達手段は、前記電気的駆動源に連結する連結部材と、前記カム部材と連係する作動部材とを連係して構成され、前記作動部材は一端を軸支して傾動自在に設けると共に他端に前記カム部材の操作部が係合する係合部を設け、前記連結部材と作動部材との連係部を該連結部材が作動部材に対し所定ストローク単独で可動し得る間隙を存して係合するように設けると共に、該連係部に前記電気的駆動源の非駆動時において前記作動部材の回転軌道上に位置して該作動部材の回動を阻止するロック手段を設け、
前記電気的駆動源の駆動時に前記ロック手段のロックを解除し、該作動部材を回動させるのに同期して前記カム部材が回動して前記可動翼片が開放するようにしたことを特徴とする可変入賞装置。
【請求項３】
前記連係部は作動部材に設けられる連係ピンと前記連結部材に設けられ所定の空隙を有する連係部とで構成され、前記ロック手段は前記連係部内に電気的駆動源の非駆動時において前記連係ピンの回転軌道上に位置すると共にして該連係ピンが衝止するストッパーを膨出して形成され、電気的駆動源の駆動時に前記連結部材の所定ストロークの単独運動によりストッパーが連係ピンの回転軌道上から離脱するようにしたことを特徴とする請求項２記載の可変入賞装置。
【請求項４】
請求項１乃至３のいずれかに記載の可変入賞装置を備えたことを特徴とする遊技機。
【発明の詳細な説明】
【技術分野】
【０００１】
本発明は、可変入賞装置及びそれを用いた遊技機に関し、特に回動可能に設けられる可動翼片を外部操作によって開いて不当に賞球を獲得する不正行為を防止するための防犯機構を備えた可変入賞装置及びそれを用いた遊技機に関する。
【背景技術】
【０００２】
従来、パチンコ遊技機、アレパチ機等の弾球遊技機を含む種々の遊技機に設けられる可変入賞装置として、可動翼片を球受入口の両側に開閉自由に軸支してソレノイド等の電気的駆動源の駆動により可動翼片を開閉して、遊技球が入球可能な開放状態としたり遊技球が入球不可能又は入球し難い閉鎖状態としたり変化するものがある。この可変入賞装置は、ソレノイドが作動していないときに、外部からピアノ線やセル板等の不正道具を遊技盤前面とガラス板との間に侵入させて可動翼片に引掛けて、可動翼片を無理矢理に開放できる構造である。そのため、不当に賞球を獲得する不正行為が多発したことから、外部から可変入賞装置の可動翼片を開けようとしても可動翼片が開かず不正行為を防止することができる可変入賞装置が提案されている（例えば、特許文献１参照。）。
【０００３】
【特許文献１】実開平１−９０５９２号公報
【発明の開示】
【発明が解決しようとする課題】
【０００４】
しかしながら、特許文献の可変入賞装置は、連結杆の側端部とクランク部材に設けた係止片を当接させ外力による回動を防止するものの、ソレノイドの励磁により連結杆とクランク部材が同時に回動する構造であり、しかも回動を防止する箇所は一点のみであるため、ロックが外れ易くこじれや摩耗を生じやすい。さらに、連結杆とクランク部材の回動方向が同じであるため、無理に開放しようとすると簡単にロックが外れ、確実なロック効果を期待できないという問題があった。
【０００５】
本発明は、上記課題を解決するためになされたものであり、簡単な構成で外部から不正に可動翼片を開けようとしても可動翼片が開くことがなく、確実に不正行為を防止することができる可変入賞装置及びそれを用いた遊技機を提供することを目的としている。
【課題を解決するための手段】
【０００６】
上記目的を達成するために、請求項１に記載の発明は、電気的駆動源の駆動力を伝達する伝達手段を介して回動軸に軸支された可動翼片が開閉し、遊技球が入球可能な開放状態と遊技球が入球不可能又は入球し難い閉鎖状態とに変化する可変入賞装置であって、前記可動翼片の回動軸に該可動翼片と同期すると共に前記回動軸と偏心する位置に前記伝達手段と連係する操作部を備えたカム部材を設け、前記伝達手段は前記電気的駆動源に連結する連結部材と、前記カム部材と連係する作動部材とを備えると共に前記電気的駆動源の非駆動時において前記作動部材の可動を阻止して可動翼片の動作を阻止するロック手段を設け、前記作動部材は一端を支軸により傾動自在に設けると共に他端に前記カム部材の操作部が係合する係合部を設け、前記連結部材と作動部材との連係部を該連結部材が作動部材に対し所定ストローク単独で可動し得る間隙を存して係合するように設け、前記ロック手段は前記作動部材に前記支軸と偏心した位置に一体的に設けられるロック部と、前記連結部材に電気的駆動源の非駆動時において前記ロック部の回転軌道上に位置して一体的に設けられる前記ロック部が衝止するストッパーとにより構成され、前記電気的駆動源の駆動時に前記ロック手段のロック解除として前記連結部材の所定ストロークの単独運動によりストッパーがロック部の回転軌道上から離脱してストッパーによるロックを解除し、前記伝達手段の作動部材を回動させるのに同期して前記カム部材を回動させて前記可動翼片が開放するようにしたことを特徴とする。ここでいう「伝達手段」とは、電気的駆動源の駆動力を可動翼片に伝達して、可動翼片を開閉させる機構要素を称するものであり、機構要素の数は限定されるものではなく、複数の機構要素を介して電気的駆動源の駆動力を可動翼片に伝達することをも含む。また、「電気的駆動源」とは電気的信号を受けて可動体を操作するアクチュエータの総称であり、例えばモータ及びソレノイド等が電気的駆動源に相当する。
【０００７】
上記構成により、電気的駆動源の非駆動状態で可動翼片が閉状態にあるとき、ロック手段により操作部の回転動作をロックして可動翼片の開方向への回動を阻止している。そして、電気的駆動源が駆動すると、ロック手段が解除されて操作部の回動阻止を解除し、電気的駆動源の駆動力を可動翼片に伝達し回動させる。言い換えれば、可動翼片は電気的駆動源の駆動力でのみ回動させることができる。このように構成することにより、電気的駆動源の非駆動状態で可動翼片に開方向の無用な作用力が働いたとしても、ロック手段により可動翼片が開放することがない。
【０００９】
また、この構成により、電気的駆動源が非駆動時において作動部材が下動位置で連結部材のストッパーがロック部と対峙して作動部材の回動をロックし、可動翼片の回動が阻止される。また、電気的駆動源が駆動すると、連結部材が単独で所定のストローク可動することによりストッパーがロック部から離間してロックが解除され、さらに連結部材が可動することにより作動部材が回動して可動翼片が開動作する。
【００１０】
請求項２に記載の発明は、電気的駆動源の駆動力を伝達する伝達手段を介して回動軸に軸支された可動翼片が開閉し、遊技球が入球可能な開放状態と遊技球が入球不可能又は入球し難い閉鎖状態とに変化する可変入賞装置であって、前記可動翼片の回動軸に該可動翼片と同期すると共に前記回動軸と偏心する位置に前記伝達手段と連係する操作部を備えたカム部材を設け、前記伝達手段は、前記電気的駆動源に連結する連結部材と、前記カム部材と連係する作動部材とを連係して構成され、前記作動部材は一端を軸支して傾動自在に設けると共に他端に前記カム部材の操作部が係合する係合部を設け、前記連結部材と作動部材との連係部を該連結部材が作動部材に対し所定ストローク単独で可動し得る間隙を存して係合するように設けると共に、該連係部に前記電気的駆動源の非駆動時において前記作動部材の回転軌道上に位置して該作動部材の回動を阻止するロック手段を設け、前記電気的駆動源の駆動時に前記ロック手段のロックを解除し、該作動部材を回動させるのに同期して前記カム部材が回動して前記可動翼片が開放するようにしたことを特徴とする。
【００１１】
請求項３に記載の発明は、請求項２に記載の発明において、前記連係部は作動部材に設けられる連係ピンと前記連結部材に設けられ所定の空隙を有する連係部とで構成され、前記ロック手段は前記連係部内に電気的駆動源の非駆動時において前記連係ピンの回転軌道上に位置すると共にして該連係ピンが衝止するストッパーを膨出して形成され、電気的駆動源の駆動時に前記連結部材の所定ストロークの単独運動によりストッパーが連係ピンの回転軌道上から離脱するようにしたことを特徴とする。
【００１２】
請求項４に記載の発明は、請求項１乃至３のいずれかに記載の可変入賞装置を遊技機に備えたことを特徴とし、興趣に富みゲーム性の高い遊技機を実現することができるようになる。
【００１３】
また、電気的駆動源の駆動によって直線運動する連結部材と連係して揺動運動する作動部材とにより伝達手段を構成し、作動部材に突設した連係ピンを連結部材に形成された連係孔に遊挿することで連結部材の直線運動が作動部材に伝達されて揺動するように連係し、連係孔内に電気的駆動源の非駆動時において可動翼片を開方向に作用させ作動部材が揺動しようとした時に連係ピンが衝止するロック手段を形成し、電気的駆動源が駆動した際には連結部材のみが所定距離可動してロック手段を解除した後連係ピンに係合して作動部材を揺動させるように連係孔の内径を設定するのがよい。
【００１４】
前記ロック手段は面接触によりロックするように構成するのがよく、例えばストッパーに面状の阻止部を形成すると共に連係ピンに阻止部と面接触し得る面状部を形成し、電気的駆動源の非駆動時に連係ピンの面状部がストッパーと面接触した状態で連結部材の可動方向と異なる方向に押圧するため、ロック効果が確実なものとなる。
【００１５】
また、ロック部がストッパーを押圧した際に連結部材が押圧方向へ移動するのを防止する規制手段を設けるのがよい。ストッパーに無用な外的作用力が働いても連結部材は可動することがなく作動部材を誤動作させることはない。
【発明の効果】
【００１６】
本発明による可変入賞装置によると、電気的駆動源が非駆動状態で外部からピアノ線やセル板等の不正道具を用いて可動翼片を開けようとしても可動翼片が開かないため、賞球を不当に獲得する不正行為を確実に防止することができる。
【００１７】
また、既成の伝達手段に僅かな設計変更を加えるのみで対応でき、簡単な構成によって可変入賞装置の通常の作動を確保しつつ不正行為を防止することができるので、不正防止用の部材を新たに作成する必要がなく、コストの低減化を図ることができる。
【発明を実施するための最良の形態】
【００１８】
以下、本発明の遊技機としてパチンコ遊技機の実施形態を図面を参照して説明する。図１は、本発明に係る可変入賞装置を設けたパチンコ遊技機の正面図、図２は本発明に係る可変入賞装置の正面図であり、図３は可変入賞装置の開閉機構を示す斜視図である。パチンコ遊技機１００は、遊技場の設置枠に取付けるための外枠１を備え、その外枠１の正面一側にヒンジ機構を介して内枠２が回動可能に設けられ、他側をロック機構によって開閉不能に施錠するようにしている。内枠２には、遊技盤４が装着されると共に、遊技盤４の正面を覆う透明板を備えた前面板６が回動可能に設けられている。また、前面板６の下方に位置する内枠２には遊技球を貯留し発射部に供給する供給皿７と余剰球を貯留する貯留皿８とが設けられている。そして、貯留皿８の右側に打球の弾発力を調節する操作ハンドル９が設けられている。
【００１９】
遊技盤４は、略方形状に形成され、所定の幅員を有する誘導部材により前面板６の透明板との間に略円形の遊技領域４ａが形成され、その略中央領域に可動翼片１９を供えた可変入賞装置１２を設けている。そして、その下方に可動翼片１９を１回又は２回開放させる複数の始動入賞口１３，１４が並設され、遊技領域４ａの最下端には入賞球とならなかった遊技球がアウト球として流出するアウト口１５が設けられている。始動入賞口１３，１４には夫々検知スイッチ１３ａ，１４ａを備え、始動入賞口１３に入賞するとその検知信号により可動翼片１９を２回開放し、始動入賞口１４に入賞すると可動翼片１９を１回開放するように設定されている。
【００２０】
可変入賞装置１２は、図２に示すように台板１６の中央に開口部が開設され、開口部に連通して台板１６の後方に遊技球が遊動する奥行き空間を備えた箱枠体１８が設けられている。開口部の左右に位置して入賞口を開閉する一対の略左右対称形の可動翼片１９が対向状に軸着され、両可動翼片１９間に位置する箱枠体１８内は複数個の通路に分割され、特別入賞口５０と一般入賞口５１とが形成される。そして、遊技球が特別入賞口５０に入賞することを条件に、遊技者に有利な特別状態を継続させるようにしている。
【００２１】
可動翼片１９は、図３及び図４に示すように遊技盤４面と略直交し台板１６の裏側へ突出する円形棒状の回動軸２５を備え、回動軸２５の軸端をＤ字状に切欠きしてカム部材２６を設けている。カム部材２６は、回動軸２５と偏心した位置に操作部として金属製の操作ピン３１を備え、操作ピン３１が可動翼片１９と同期して一体的に回動するようにしている。そのため、操作ピン３１の軌道は回動軸２５を中心として回動する円弧状となる。
【００２２】
また、箱枠体１８の後面に電気的駆動源としてスプリング４４及びプランジャ４５を備えた一対の直動式ソレノイド２２が可動翼片１９に対応して一対設けられており、ソレノイド２２は駆動力が遊技盤４に対し上下方向に発生するように垂直状に設けられている。そして、プランジャ４５にソレノイド２２の駆動力を可動翼片１９に伝達する伝達手段が設けられ、ソレノイド２２の励磁によりプランジャ４５が上下方向に進退動して、その駆動力が伝達手段を介してカム部材２６に伝達され可動翼片１９を回動するようにしている。なお、復動用のスプリング４４は必ず設けなければならないものではなく、プランジャ４５の自重又は後述する伝達手段の連結部材２７の自重により復動させるようにしてもよい。
【００２３】
次に伝達手段について説明するが、伝達手段は可動翼片１９及びソレノイド２２に対応して左右対称に一対設けられているため、図３乃至図５において一方（正面視左側）を図示して説明する。伝達手段は、ソレノイド２２のプランジャ４５に連結されソレノイド２２の駆動と同期して上下に直進動する連結部材２７と、カム部材２６と連係する作動部材２３とで構成される。具体的には、作動部材２３は、一端を箱枠体１８の後壁に遊技盤４面と略直交するように設けられる支軸２８に傾動自在に設けられ、常態では自重で下動した位置にいる。そして、他端にカム部材２６の操作ピン３１が係合してカム部材２６の回動を生じさせる係合部として、長孔状の係合孔２９を設けている。また、軸支部と係合孔２９との略中間位置に連結部材２７と連係する連係ピン３０が操作ピン３１と平行状に突設している。そして、支軸２８と偏心した位置（実施例では支軸２８の上部位置）に可動翼片１９の無用な回動を防止するロック手段として、リブ壁状のロック部３２を一体的に突出して形成している。
【００２４】
また、連結部材２７は、上部にソレノイド２２の非駆動時において作動部材２３のロック部３２の回転軌道上に位置して、作動部材２３のロック部３２が衝止して作動部材２３の回動を阻止するストッパー３５を一体に設けている。ストッパー３５は、下方に約７０°屈曲した鉤状に形成され、その下面をロック部３２が衝止する阻止部３５ａとしている。そして、作動部材２３との連係部として、連係ピン３０が遊挿される連係孔３６を開設している。連係孔３６は、図５（イ）に示すように連係ピン３０に対し所定ストローク単独で可動し得る間隙Ｃを存して係合するように孔面積が操作ピン３１の断面積よりも大きくなるように形成され、連結部材２７の可動方向（実施例では上下方向）に拡開して略矩形状に設けられている。また、連係孔３６の下方に位置して連結部材２７の移動方向及び範囲を規制する規制手段が設けられている。規制手段として、箱枠体１８に支軸２８と平行状にガイドピン３７が突設され、そのガイドピン３７が遊挿されるガイド長孔３８が鉛直方向に設けられている。そして、作動部材２３と連結部材２７とを連係ピン３０と連係孔３６を介して連係し、連結部材２７がソレノイド２２の駆動によるプランジャ４５の進退運動と同方向の鉛直方向に直線運動し、作動部材２３が連結部材２７の進退運動を支軸２８を支点とした上下方向の回転運動に変換する。なお、ストッパー３５は別体で形成し、連結部材２７に一体的に組み付けるようにしてもよい。
【００２５】
上記構成の可変入賞装置１２は、可動翼片１９を固着した回動軸２５を軸受等により略水平に支持し、カム部材２６の操作ピン３１を作動部材２３の係合孔２９に遊挿して連係し、ソレノイド２２の駆動力を可動翼片１９に伝達し開閉させるようにしている。このとき、図５（イ）に示すようにロック部３２がストッパー３５の阻止部３５ａの側方に相対位置しており、連係ピン３０は連係孔３６内において、下方に間隙Ｃを有すると共に上方に僅かな隙間を有した状態にある。つまり、可動翼片１９側から作用力が加えられても、連係ピン３０が連係孔３６の上端に接触作用する前にロック部３２が先にストッパー３５に接触係合する位置関係にあり、作動部材２３が無用に回動しないようにしている。なお、実施例ではソレノイド２２を２個設けてそれぞれの可動翼片１９を単独で開閉し得るようにしたが、１個のソレノイド２２で作動部材２３を作動させて可動翼片１９を開閉させるようにしてもよい。
【００２６】
次に、上記構成の可変入賞装置１２の動作を説明する。まず、図５（イ）に示すようにソレノイド２２が消磁して作動していない状態においては、プランジャ４５はスプリング４４の付勢により下動位置にあり、これに伴い連結部材２７もガイドピン３７に規制され下動して作動部材２３が自重により下傾し、図示しない規制部により約１７°下傾した位置に保たれる。また、両可動翼片１９はカム部材２６を介して図２実線に示すように起立状態を保持し、遊技球を受け入れ難い閉状態としている。このとき、ストッパー３５がロック部３２の回転軌道上であるロック部３２の側方に位置して、ストッパー３５により作動部材２３の回動が阻止されることで可動翼片１９の無用な開方向への回転運動を阻止している。なお、作動部材２３の下傾位置を規制する規制手段は、可動翼片１９又はカム部材２６の回動を規制することによっても成すことができる。
【００２７】
一方、ソレノイド２２が励磁すると、図５（ロ）に示すようにプランジャ４５はスプリング４４の付勢に抗して上動し、連結部材２７がガイドピン３７に規制されながら上方にスライド移動する。そして、ストッパー３５がロック部３２の回転軌道上から離脱して所定位置まで移動し、ロック部３２の回動阻止を解除する。このとき、可動翼片１９はまだ閉状態を維持している。また、ロック部３２がストッパー３５の回動阻止から解除されると、図５（ロ）に示すように連係孔３６の下端部が連係ピン３０に当接係合し、図５（ハ）に示すように連係ピン３０を押し上げ、作動部材２３が上向き回動するのに伴いカム部材２６も上向き回動し、回動軸２５が回転することにより可動翼片１９は回動軸２５を中心として開方向へ所定角度回動して図２鎖線に示す全開状態となり、遊技球が入賞し易くなる。なお、可動翼片１９が上記のように閉状態から開状態になるまでの間において、ロック部３２はストッパー３５から所定間隔離間した下方に位置しており、ストッパー３５と干渉することはない。
【００２８】
その後、ソレノイド２２を消磁すると、プランジャ４５がスプリング４４の付勢により下降位置まで戻り、連結部材２７が下動するのに伴い作動部材２３が自重で下降し、カム部材２６も操作ピン３１が係合孔２９と接触係合しながら下向き回動し、可動翼片１９が同期して図５（イ）に示す閉状態に復動する。なお、作動部材２３が自重により復動しない場合でも、図５（ハ）鎖線に示すように連係孔３６の上端により連係ピン３０を下方に押圧すると共に、最終的にストッパー３５の傾斜状の阻止部３５ａがロック部３２を押して作動部材２３を図５（イ）に示す位置に強制的に復動させることができる。
【００２９】
一方、図５（イ）に示す可動翼片１９の閉状態で、可動翼片１９又はカム部材２６及び作動部材２３をピアノ線又はセル板等の不正道具により操作して、可動翼片１９を無理矢理開放させようとしても、ロック部３２がストッパー３５の阻止部３５ａに当接し、その作用力が連結部材２７の可動方向と異なる方向に働くため作動部材２３の回動作が阻止される。このため、可動翼片１９を回動させることができず、遊技球を不正に入賞口へ入れることはできない。このとき、例え過剰な作用力が加えられストッパー３５を押圧して連結部材２７を無理やり横方向にずらして作動部材２３を回動させようとしても、規制手段としてのガイドピン３７がガイド長孔３８に嵌まり込んでいるため連結部材２７は無用に動くことはなく、ロック部３２のロック状態を確実に保持することができる。
【００３０】
以上説明したように、本実施形態に係る可変入賞装置１２は、電気的駆動源の駆動力を可動翼片１９に伝達する伝達手段に、電気的駆動源が非駆動状態で可動翼片１９の回動を阻止するストッパー３５を設け、電気的駆動源の駆動時にはストッパー３５の回動阻止を解除するようにしたので、電気的駆動源が非駆動状態ではストッパー３５により、可動翼片１９の開方向への回動が阻止される。つまり、可動翼片１９は電気的駆動源の駆動時にのみ開放される。
【００３１】
また、本実施形態に係る可変入賞装置１２は、電気的駆動源の駆動力を可動翼片１９に伝達する伝達手段に僅かな設計変更を加えるのみで対応できるので、簡単な構成によって可変入賞装置１２の通常の作動を確保しつつ不正行為を防止することができる。そして、伝達手段を構成する連結部材２７と作動部材２３との連係部に連結部材２７が単独で移動しうる間隙Ｃを設けることによりストッパー３５を作動部材２３の変位経路から退避させることができ、可動翼片１９の回動開始の時間差を生じさせることができるため、装置構成は簡素化が図れ、装置の軽量化，コンパクト化等に寄与する。また、不正防止用の新たな部材を作成する必要がなく、金型等のコストの低減化を図ることができる。
【００３２】
図６及び図７はロック手段の他の実施例を示し、ロック手段を連結部材２７と作動部材２３の連係部に設けている。なお、上記実施例と同じ構成要素には同一符号を付して説明する。具体的には、図６に示すように連結部材２７に設けた連係孔３６の空隙内に連係ピン３０の回動を阻止するストッパー４０を段状に一体的に膨出して、連係孔３６を略鉤状に形成している。ストッパー４０は連係ピン３０が当接する面状の阻止部４０ａが垂直状に形成され、下面は連結部材２７の復動時に連係ピン３０を押圧して作動部材２３を復動方向に作用させる傾斜面としている。そして、連係孔３６は、図７（イ）に示すように連係ピン３０の下方に所定の間隙Ｃを有し、連結部材２７が間隙Ｃの距離移動した後に連係孔３６の下端作用部が連係ピン３０に接触係合するようにしている。このとき、作動部材２３は図示しない規制部により下傾位置が規制され、連係ピン３０は連係孔３６内においてストッパー４０側方に位置すると共に下方に間隙Ｃを存し、上方は連係孔３６の上端と僅かな隙間を介して位置している。つまり、可動翼片１９側から作用力がかかっても連係ピン３０が連係孔３６の上端に接触係合する前に、ストッパー４０の阻止部４０ａに衝止する位置関係にある。
【００３３】
上記構成の可変入賞装置１２の動作は、図７（イ）に示すようにソレノイド２２が消磁して作動していない状態においては、プランジャ４５がスプリング４４の付勢により下動し、連結部材２７もガイドピン３７に規制され下降位置に保たれている。そして、作動部材２３が自重により下動して可動翼片１９は起立し遊技球を受け入れ難い閉状態としている。このとき、ストッパー４０が連係ピン３０の回転軌道上に位置していることにより、連係ピン３０の移動が阻止され、可動翼片１９側からの作用力では作動部材２３は回動しないため、可動翼片１９の閉状態が確実に保持される。
【００３４】
ソレノイド２２が励磁すると、プランジャ４５はスプリング４４の付勢に抗して上動し、連結部材２３が図７（イ）鎖線に示すようにガイドピン３７に規制されながら上方にスライド移動する。このとき、ストッパー４０が連係ピン３０の回転軌道上から離脱した所定位置まで移動して、連係ピン３０の回動阻止を解除する。そして、連係ピン３０がストッパー４０の回動阻止から解除されると、図７（イ）鎖線に示すように連係孔３６の下端作用部が連係ピン３０に当接係合し、図７（ロ）に示すように連係ピン３０を押し上げ、連係ピン３０はストッパー４０と干渉することなくストッパー４０の下方に臨むように回動する。そして、カム部材２６を介して可動翼片１９が回動軸２５を中心として開方向へ所定角度回動して全開状態となり、遊技球が入賞し易くなる。このとき、連係ピン３０の軌跡は支軸２８の中心を通る水平面に対して俯角の位置関係にある。言い換えれば、可動翼片１９の閉状態時及び開状態時の連係ピン３０の停止位置の関係は、可動翼片１９が開状態になるに従い左右の連係ピン３０が漸次近づくように移動し、可動翼片１９の全開状態で最も接近することになる。
【００３５】
その後、ソレノイド２２を消磁すると、プランジャ４５がスプリング４４の付勢により下降位置まで戻り、連結部材２３が下動するのに伴い作動部材２３が自重で下動し、カム部材２６を介して可動翼片１９を図７（イ）に示す閉状態に復動させる。また、万一作動部材２３が自重で復動しなくなったとしても、ストッパー４０の下面で連係ピン３０を押圧し、作動部材２３を下動させることができる。このとき、ストッパー４０の下面を作動部材２３を復動方向に作用させる傾斜面としているため、連係ピン３０を押圧して作動部材２３を確実に下動位置に復動させることができる。
【００３６】
なお、図７（イ）に示す可動翼片１９の閉状態で、セル板等の不正道具により可動翼片１９を無理矢理に開放させようとしても、連係ピン３０がストッパー４０の阻止部４０ａに当接して作動部材２３の回動作が阻止されるため、作動部材２３を回動させることができず、可動翼片１９が開放することはない。また、例え可動翼片１９を開放させようと過剰な作用力を加えて、ストッパー４０を無理やり押圧して連結部材２７を横方向にずらしてロックを解除しようとしても、規制手段としてのガイドピン３７がガイド長孔３８に嵌まり込んでいるため作動部材２３は動くことはなく、連係ピン３０のロック状態を確実に保持することができる。したがって、可動翼片１９は開放しないため遊技球を不正に入賞口へ入れる行為を未然に防ぐことができる。
【００３７】
この実施例において、連係孔３６内にストッパー４０を設けて連係ピン３０の回動を阻止して、可動翼片１９の無用な回動を阻止するようにしたので、従来の部品からの変更が容易となる。つまり、連結部材２７の連係孔３６の形状のみを変更すればよく、簡単な構成で可動翼片１９の無用な開動作を阻止することができる。
【００３８】
また、実施例において、連係ピン３０を円柱状として、ストッパー４０と線接触するようにしたが、連係ピン３０にストッパー４０の面状の阻止部４０ａと面接触し得る面状部を形成するようにしてもよい。このようにすることで、ソレノイド２２の非駆動時に連係ピン３０の平坦面がストッパー４０の阻止部４０ａと面接触した状態で連結部材２７の可動方向である上下方向と異なる横方向に押圧するため、連結部材２７を可動させることがなく、作動部材２３は回動せずロック効果が確実なものとなり、可動翼片１９を誤動作させることはない。なお面状部は、必ずしも平坦面である必要はなく、凹又は凸状の円弧面であってもよい。このとき、阻止部４０ａの面状部も連係ピン３０に形成した面状部の形状に合致させるのがよい。また、作動部材２３と連結部材２７の連係部は、連結部材２７に連係ピンを突設し、作動部材２３に連係ピンが係合する連係孔を設けるようにしても同様の効果を奏することができる。このとき間隙Ｃは、連係ピン３０の上方に位置して設けるのがよい。
【００３９】
実施例では、可動翼片１９を一対設けた可変入賞装置１２について説明したが、可動翼片１９は必ずしも一対設けなければならないものではなく、一つの可動翼片１９が伝達手段を介して電気的駆動源の駆動力により開閉する可変入賞装置であっても、本発明を適応することができる。また、電気的駆動源はソレノイド２２に限定されるものではなく、正逆モータやロータリーソレノイドであってもよい。
【００４０】
また、本発明は、実施例においてパチンコ遊技機を遊技機の一例として説明したが、遊技球を遊技媒体とする雀球遊技機やアレンジボール式遊技機等の弾球遊技機にも適応可能である。
【図面の簡単な説明】
【００４１】
【図１】パチンコ遊技機の正面図である。
【図２】可変入賞装置の正面図である。
【図３】可変入賞装置の要部となる開閉機構例を示す斜視図である。
【図４】図３の分解斜視図である。
【図５】（イ）〜（ハ）はロック手段の動作を示す作用説明図である。
【図６】連結部材の他の実施例の斜視図である。
【図７】（イ），（ロ）はロック手段の他の実施例を示す作用説明図である。
【符号の説明】
【００４２】
１２  可変入賞装置
１９  可動翼片
２２  ソレノイド（電気駆動源）
２３  作動部材（伝達手段）
２５  回動軸
２６  カム部材
２７  連結部材（伝達手段）
２８  支軸
２９  係合孔（係合部）
３０  連係ピン（連係部）
３１  操作ピン（操作部）
３２  ロック部（ロック手段）
３５  ストッパー（ロック手段）
３６  連係孔（連係部）
４０  ストッパー（ロック手段）
１００  パチンコ遊技機（遊技機）
Ｃ  間隙
【図１】
0005153232.tif 000002
【図２】
0005153232.tif 000003
【図３】
0005153232.tif 000004
【図４】
0005153232.tif 000005
【図５】
0005153232.tif 000006
【図６】
0005153232.tif 000007
【図７】
0005153232.tif 000008